(57)【特許請求の範囲】
【請求項１】
回転軸と、前記回転軸から所定距離離れた位置に形成される第一貫通孔と、前記回転軸を中心として前記第一貫通孔と略対称となる位置に形成される第二貫通孔と、を有して、前記回転軸を中心として回転可能に構成される回転板と、
前記回転軸に連結され、前記回転板を回転させる駆動源と、
前記回転板の一方の板面側において、前記回転軸から前記所定距離離れて配設され、前記回転板側に光を放射する光源と、
前記回転板の他方の板面における前記第一貫通孔と前記第二貫通孔との間に配置される基部を有し、前記基部から前記回転軸の軸心に対して前記第一貫通孔側へ傾斜した方向へ延出し、前記第一貫通孔に対向する面が反射面となる反射部材と、
透光性を有し、前記回転板および前記反射部材を前記回転板の前記他方の板面側から被覆するランプカバーと、
を具備し、
前記駆動源により前記回転板が回転されて、前記第一貫通孔が前記光源と対向する位置にあるときには、前記光源からの光は前記反射部材の前記反射面により反射された後に前記ランプカバーに照射され、
前記第二貫通孔が前記光源と対向する位置にあるときには、前記光源からの光は前記反射面により反射されることなく前記ランプカバーに照射されるように構成される、
回転灯。
【発明の詳細な説明】
【技術分野】
【０００１】
本発明は、光源からの光を回転する反射板で反射させてランプカバーに照射することで、当該ランプカバーを点灯させる回転灯の技術に関する。
【背景技術】
【０００２】
従来、光源からの光を回転する反射板で反射させてランプカバーに照射することで、当該ランプカバーを点灯させる回転灯の技術が公知となっている。例えば、特許文献１から特許文献３までに記載の如くである。
【０００３】
特許文献１から特許文献３までに記載の回転灯は、反射板を含む回転体の回転軸の軸心上に光源を配置することなく、当該回転軸の周囲に光源を配置するものである。
これらの技術によれば、光源を避けるように回転軸等を構成する必要がない。したがって、回転体を回転駆動するための機構、より詳細には回転軸の形状、モータの配置構成、およびモータから回転体への動力伝達機構を簡素化することができ、ひいては回転灯の小型化を図ることができる。
【先行技術文献】
【特許文献】
【０００４】
【特許文献１】特開２００８−１７１５７３号公報
【特許文献２】特開２００８−１０７４７５号公報
【特許文献３】登録実用新案第３１１７３５０号公報
【発明の概要】
【発明が解決しようとする課題】
【０００５】
しかしながら、特許文献１から特許文献３までに記載の回転灯を遊技機の遊技盤に設置する場合、以下に述べる問題点があった。
【０００６】
特許文献１および特許文献２に記載の回転灯は、反射板の回転位置にかかわらず、反射板によって、全ての光源の光を当該反射板が傾斜している方向へと反射するものである。したがって、反射板が回転している場合において、当該反射板の傾斜方向が遊技者側を向いていないときは、光源の光が遊技者側へ照射され難いため、遊技者側から見てランプカバーが点灯していないように見える場合がある。これによって、光による十分な演出効果が得られない場合があった。
【０００７】
特許文献３に記載の回転灯は、反射板の回転位置にかかわらず、反射板によって、一部の光源の光を当該反射板が傾斜している方向へと反射するものである。したがって、反射板により反射されない他の光源の光はそのままランプカバーに照射されるため、反射板の傾斜方向にかかわらず、常時ランプカバー全体が点灯する。これによって、光による十分な演出効果が得られない場合があった。
【０００８】
本発明は上記のような問題点に鑑みてなされたものであり、その解決しようとする課題は、コンパクト化を図るとともに、光による演出効果を高めることができる回転灯を提供することである。
【課題を解決するための手段】
【０００９】
本発明の解決しようとする課題は以上の如くであり、次にこの課題を解決するための手段を説明する。
【００１０】
即ち、請求項１においては、回転軸と、前記回転軸から所定距離離れた位置に形成される第一貫通孔と、前記回転軸を中心として前記第一貫通孔と略対称となる位置に形成される第二貫通孔と、を有して、前記回転軸を中心として回転可能に構成される回転板と、前記回転軸に連結され、前記回転板を回転させる駆動源と、前記回転板の一方の板面側において、前記回転軸から前記所定距離離れて配設され、前記回転板側に光を放射する光源と、前記回転板の他方の板面における前記第一貫通孔と前記第二貫通孔との間に配置される基部を有し、前記基部から前記回転軸の軸心に対して前記第一貫通孔側へ傾斜した方向へ延出し、前記第一貫通孔に対向する面が反射面となる反射部材と、透光性を有し、前記回転板および前記反射部材を前記回転板の前記他方の板面側から被覆するランプカバーと、を具備し、前記駆動源により前記回転板が回転されて、前記第一貫通孔が前記光源と対向する位置にあるときには、前記光源からの光は前記反射部材の前記反射面により反射された後に前記ランプカバーに照射され、前記第二貫通孔が前記光源と対向する位置にあるときには、前記光源からの光は前記反射面により反射されることなく前記ランプカバーに照射されるように構成されるものである。
【発明の効果】
【００１１】
本発明は、光源を回転軸の軸心上（回転板の回転中心）に配置しないため、回転板を回転させるための機構（回転軸、駆動源からの動力伝達機構等）のコンパクト化を図ることができる、という効果を奏する。また本発明は、回転板を回転させることで、光源からの光を所定の方向へと反射してランプカバーに照射する状態、および光源からの光を反射せずランプカバーに照射する状態を順に切り替えることができ、光による演出効果を高めることができる、という効果を奏する。
【図面の簡単な説明】
【００１２】
【図１】本発明の一実施形態に係る回転灯を備える遊技機の全体的な構成を示す正面図。
【図２】遊技盤および回転灯を示す正面図。
【図３】本発明の第一実施形態に係る回転灯を示す分解斜視図。
【図４】同じく、回転灯を示す正面図。
【図５】同じく、回転灯の図４におけるＡ−Ａ断面を示す側面断面図。
【図６】台座およびＬＥＤ基板を示す平面図。
【図７】（ａ）回転板を示す平面図。（ｂ）同じく、正面図。（ｃ）透光板を示す平面図。（ｄ）同じく、正面図。（ｅ）同じく、側面図。
【図８】（ａ）反射部材を示す正面図。（ｂ）同じく、側面図。（ｃ）同じく、底面図。
【図９】（ａ）回転板、透光板、および反射部材の基部を示す平面図。（ｂ）回転板、透光板、および反射部材を示す平面図。
【図１０】（ａ）第一実施形態に係る回転灯の、第一貫通孔がＬＥＤと対向する位置にある場合を示す側面断面図。（ｂ）同じく、第二貫通孔がＬＥＤと対向する位置にある場合を示す側面断面図。
【図１１】（ａ）第一貫通孔がＬＥＤと対向する位置にある場合の回転灯を示す平面図。（ｂ）回転板の板面がＬＥＤと対向する位置にある場合の回転灯を示す平面図。（ｃ）第二貫通孔がＬＥＤと対向する位置にある場合の回転灯を示す平面図。（ｄ）回転板の板面がＬＥＤと対向する位置にある場合の回転灯を示す平面図。
【図１２】（ａ）第二実施形態に係る透光板を示す平面図。（ｂ）同じく、正面図。（ｃ）同じく、側面図。
【図１３】（ａ）第二実施形態に係る回転灯の、第一貫通孔がＬＥＤと対向する位置にある場合を示す側面断面図。（ｂ）同じく、第二貫通孔がＬＥＤと対向する位置にある場合を示す側面断面図。
【図１４】（ａ）第三実施形態に係る透光板を示す平面図。（ｂ）同じく、正面図。（ｃ）同じく、側面図。
【図１５】（ａ）第三実施形態に係る回転灯の、第一貫通孔がＬＥＤと対向する位置にある場合を示す側面断面図。（ｂ）同じく、第二貫通孔がＬＥＤと対向する位置にある場合を示す側面断面図。
【図１６】（ａ）第四実施形態に係る回転灯の、第一貫通孔がＬＥＤと対向する位置にある場合を示す側面断面図。（ｂ）同じく、第二貫通孔がＬＥＤと対向する位置にある場合を示す側面断面図。
【発明を実施するための形態】
【００１３】
まず、本発明の一実施形態に係る回転灯１００を備える遊技機１の全体構成について、図１を用いて説明する。
なお、以下の説明において、遊技機１を遊技者から見て、手前側を遊技機１の前側とし、奥側を遊技機１の後側として、遊技機１の前後方向を規定する。また、遊技機１を遊技者から見て、左手側を遊技機１の左側とし、右手側を遊技機１の右側として、遊技機１の左右方向を規定する。
【００１４】
遊技機１には、機体の外郭を成す外枠１０が設けられる。外枠１０は、前後面が開口される略四角筒状の枠体である。外枠１０は、パチンコホール等の遊技場に設けられる台島に設置される。外枠１０の前側の開口部には、略四角形状の枠体である中枠２０が、ヒンジ等の軸支部材を介して回動可能に支持される。中枠２０には、遊技領域５８が形成される遊技盤５０が着脱自在に取り付けられる（図２参照）。また、中枠２０には、略平板状の枠体である窓枠３０と、下皿ユニット４０とが、ヒンジ等の軸支部材を介してそれぞれ回動可能に支持される。
【００１５】
窓枠３０の略中央には、正面視で略円形状の窓枠開口部３１が開口される。窓枠開口部３１には、透明板３４が被覆されて、中枠２０に支持された遊技盤５０の遊技領域５８を前方から視認することができる。また、窓枠３０の窓枠開口部３１の下方には、発射前の遊技球が貯溜される上皿３２が配設される。また、窓枠３０の窓枠開口部３１の左右上方には、スピーカ３３がそれぞれ配設される。
【００１６】
下皿ユニット４０は、窓枠３０の下方に配置される。下皿ユニット４０の略中央には、上皿３２から溢れた遊技球が貯溜される下皿４１が配設される。また、下皿ユニット４０の右側部には、図示せぬ遊技球発射装置に連結され、上皿３２に貯溜された遊技球を遊技領域５８へ向けて発射可能に構成される発射ハンドル４２が配設される。
【００１７】
次に、遊技盤５０の構成について、図２を用いてさらに詳細に説明する。
【００１８】
遊技盤５０は、基体５１と、図柄表示手段５２と、ガイドレール５３と、一般入賞口５４と、大入賞装置５５と、可変入賞装置５６と、アウト口５７と、回転灯１００とを備える。
【００１９】
基体５１は、遊技盤５０の主たる構造体を成す部材である。基体５１は、略平板状の部材であり、遊技盤５０の各構成部材が取り付けられる。基体５１の略中央には、図柄表示手段５２を取り付けるための図柄表示開口部６１が正面視で略矩形状に開口される。
【００２０】
図柄表示手段５２は、図柄や数字を変動表示する液晶画面６２を備える装置である。図柄表示手段５２は、液晶画面６２を前方へ向けた状態で、基体５１の後面側に取り付けられる。液晶画面６２は、図柄表示開口部６１を通じて前方を臨むように配置され、基体５１の前方から視認可能となっている。また、液晶画面６２は、基体５１の前面よりも若干後方に配置されて基体５１の前面との間に役物が配設される隙間が形成される。
【００２１】
ガイドレール５３は、外ガイドレール６３ａと、内ガイドレール６３ｂとを備える。
外ガイドレール６３ａおよび内ガイドレール６３ｂは、正面視で略円弧状に形成される金属製の帯状の部材である。外ガイドレール６３ａは、基体５１の左側および上側の外周を周回するように配置される。内ガイドレール６３ｂは、外ガイドレール６３ａよりも基体５１の内側であって、基体５１の左側および下側の外周を周回するように配置される。外ガイドレール６３ａおよび内ガイドレール６３ｂは、短手方向を前後方向として基体５１の前面側から前方へ突出される。
なお、基体５１の略中央の外ガイドレール６３ａと内ガイドレール６３ｂとにより略円形状に区画形成された領域が、遊技球が転動する領域である遊技領域５８とされる。また、基体５１の左側部の外ガイドレール６３ａと内ガイドレール６３ｂとの間に略円弧形状に区画形成された領域が、前記遊技球発射装置により発射された遊技球が通過する領域である発射通路５９とされる。そして、発射ハンドル４２の回動操作に応じて、遊技球が発射通路５９を通過して遊技領域５８へ放出されることとなる。
【００２２】
一般入賞口５４は、上面が開口するポケット状に形成され、遊技球を入賞可能とする部材である。一般入賞口５４に遊技球が入賞すると、図示せぬ賞球払出装置によって所定数の賞球（遊技球）が払い出される。一般入賞口５４は、基体５１における遊技領域５８の下部に複数個が配置される。
【００２３】
大入賞装置５５は、大当たり抽選により大当たりが選択されると、大入賞口６５を開放して遊技球を入賞可能とする装置である。大入賞口６５に遊技球が入賞すると、前記賞球払出装置によって所定数の賞球（遊技球）が払い出される。大入賞装置５５は、基体５１における遊技領域５８の中央下部に配置される。
【００２４】
可変入賞装置５６は、所定の作動条件を満たすと、左右一対の可動片の動作に応じて、遊技球が入賞可能な開放状態または入賞不能な閉鎖状態に切り替える装置である。可変入賞装置５６に遊技球が入賞すると、前記賞球払出装置によって所定数の賞球（遊技球）が払い出されると共に、図示せぬ抽選装置によって大当たり抽選が開始される。可変入賞装置５６は、基体５１の遊技領域５８の略中央であって、大入賞装置５５の上方に配置される。
【００２５】
アウト口５７は、発射通路５９を通過して遊技領域５８へ放出された遊技球が、一般入賞口５４や大入賞口６５等の各入賞口に入賞しなかった場合に、最終的に流入する開口部である。アウト口５７に流入した遊技球は、パチンコホール等の遊技場側に回収される。アウト口５７は、基体５１における遊技領域５８の最下部に配置される。
【００２６】
次に、回転灯１００について、図２から図１０を用いて説明する。
【００２７】
図２から図５に示す回転灯１００は、所定の場合に遊技者に視覚的な印象（インパクト）を与えるためのものである。回転灯１００は、正面視（図２）において液晶画面６２の上方に配置される。具体的には、回転灯１００は、台座１１０と、ＬＥＤ基板１２０と、ＬＥＤ基板支持部材１３０と、駆動機構１４０と、回転板１５０と、透光板１６０と、反射部材１７０と、ランプカバー１８０とにより構成される。
【００２８】
図３から図５に示す台座１１０は、回転灯１００の主たる構造体となるものであり、飛行機の翼部分および飛行機の本体の一部を模した形状に形成される。
台座１１０の上面の略中央部には、当該台座１１０を上下方向に貫通する軸支孔１１０ａが形成される。
台座１１０の上面であって軸支孔１１０ａの前方には、当該台座１１０を上下方向に貫通する導入孔１１０ｂが形成される。導入孔１１０ｂは、軸支孔１１０ａの軸心を中心とし、当該軸心から所定距離離れた位置に円弧状に形成される（図６参照）。
【００２９】
ＬＥＤ基板１２０は、平面視略Ｌ字状に形成される。ＬＥＤ基板１２０の上側の板面の前端部（台座１１０の導入孔１１０ｂと対応する位置）には、光源としての発光ダイオード（以下、単に「ＬＥＤ」と記す）１２１・１２１が左右に２つ並んで配設される。ＬＥＤ基板１２０には、ＬＥＤ１２１・１２１を点灯させるための回路が設けられる。
ＬＥＤ基板１２０は、台座１１０の上面の下方に配置される。ＬＥＤ基板１２０における台座１１０の軸支孔１１０ａと対応する位置には、略円形の切り欠き部１２０ａが形成される。
【００３０】
ＬＥＤ基板支持部材１３０は、ＬＥＤ基板１２０を台座１１０に固定するための板状の部材である。ＬＥＤ基板支持部材１３０における台座１１０の軸支孔１１０ａと対応する位置には、当該ＬＥＤ基板支持部材１３０を上下方向に貫通する円形の貫通孔１３０ａが形成される。
ＬＥＤ基板支持部材１３０は、ＬＥＤ基板１２０の下方から締結具により台座１１０に固定されることで、ＬＥＤ基板１２０を台座１１０に固定することができる。この場合、ＬＥＤ基板１２０のＬＥＤ１２１・１２１は、台座１１０の導入孔１１０ｂと対向するように（平面視（図６参照）において導入孔１１０ｂと重複するように）配置される。すなわち、ＬＥＤ１２１・１２１も軸支孔１１０ａの軸心から所定距離離れた位置に配設される。
【００３１】
駆動機構１４０は、後述する回転板１５０を回転駆動するためのものである。駆動機構１４０は、支持部材１４１と、モータ１４２と、伝達ギア１４３と、従動ギア１４４とにより構成される。
【００３２】
支持部材１４１は、モータ１４２、伝達ギア１４３等を支持するための板状の部材である。支持部材１４１には、当該支持部材１４１を上下方向に貫通する貫通孔１４１ａが形成される。
【００３３】
駆動源としてのモータ１４２は、支持部材１４１の下側に設けられる。モータ１４２から上方に向かって突設される出力軸には、図示せぬ駆動ギアが固設される。
【００３４】
伝達ギア１４３は、支持部材１４１の貫通孔１４１ａに挿通された状態で配置される。伝達ギア１４３は、その下端部において前記駆動ギアと歯合される。
【００３５】
従動ギア１４４は、支持部材１４１の上側に設けられる。従動ギア１４４は、伝達ギア１４３の上端部と歯合される。
【００３６】
このようにして、モータ１４２は、前記駆動ギアおよび伝達ギア１４３を介して従動ギア１４４と連結される。また、支持部材１４１がＬＥＤ基板支持部材１３０の下方から締結具により台座１１０に固定されることで、駆動機構１４０が台座１１０に固定される。
【００３７】
図３、図５、および図７（ａ）、（ｂ）に示す回転板１５０は、モータ１４２の動力により回転駆動される略円形板状の部材である。回転板１５０は、光を透過させないプラスチック等の材料により形成される。なお、以下の説明において、回転板１５０の下側を「回転板１５０の一方の板面側」と、回転板１５０の上側を「回転板１５０の他方の板面側」と、それぞれ規定する。
回転板１５０の中心部には、当該回転板１５０の一方の板面（下側の板面）から垂直下方に向かって回転軸１５０ａが延設される。
回転板１５０には、当該回転板１５０を上下方向に貫通する第一貫通孔１５０ｂおよび第二貫通孔１５０ｃが形成される。第一貫通孔１５０ｂおよび第二貫通孔１５０ｃは、回転板１５０において、それぞれ円弧状に形成され、回転軸１５０ａを中心として略対称となる位置に形成される。第一貫通孔１５０ｂおよび第二貫通孔１５０ｃは、回転軸１５０ａの軸心から所定距離離れた位置にそれぞれ形成される。
【００３８】
回転軸１５０ａが軸受１５１・１５１を介して台座１１０の軸支孔１１０ａに挿通されることにより、回転板１５０は台座１１０に回転可能に支持される。また、回転軸１５０ａの下端は、ＬＥＤ基板１２０の切り欠き部１２０ａ及びＬＥＤ基板支持部材１３０の貫通孔１３０ａに挿通され、従動ギア１４４に固定される。またこの場合、回転軸１５０ａの軸心と軸支孔１１０ａの軸心は一致し、導入孔１１０ｂ、ＬＥＤ１２１・１２１、第一貫通孔１５０ｂ、および第二貫通孔１５０ｃは、当該軸心から同一距離（所定距離）離れた位置に配設されることになる。
【００３９】
図３、図５、および図７（ｃ）、（ｄ）、（ｅ）に示す導光部材としての透光板１６０は、略円形板状の部材である。透光板１６０は、透明なガラスやプラスチック等の材料により形成される。透光板１６０の上側の板面には、導光レンズ部１６０ａが形成される。導光レンズ部１６０ａは、透光板１６０の中心から所定距離の位置にあり、透光板１６０の外側から内側に向けて高くなる斜辺を有する直角三角形を、透光板１６０の軸心を中心として所定角度だけ回転して得られる回転体形状に形成される。本実施形態においては、導光レンズ部１６０ａは回転板１５０の第一貫通孔１５０ｂと平面視において重複するように形成される（図９（ａ）参照）。
【００４０】
図３、図５、および図８に示す反射部材１７０は、鏡面加工された板状の部材である。反射部材１７０の基部（下端部）１７０ａは、締結具により回転板１５０の他方の板面（上側の板面）に固定される。この際、反射部材１７０と回転板１５０との間に透光板１６０が挟み込まれることで、回転板１５０、透光板１６０、および反射部材１７０が一体的に構成される。
図９に示すように、反射部材１７０の基部１７０ａは、回転板１５０の第一貫通孔１５０ｂと第二貫通孔１５０ｃとの間に配置される。ここで、「第一貫通孔１５０ｂと第二貫通孔１５０ｃとの間」には、反射部材１７０の基部１７０ａが平面視において第一貫通孔１５０ｂまたは第二貫通孔１５０ｃの一部と重複する場合も含むものとする。本実施形態においては、反射部材１７０の基部１７０ａは、回転軸１５０ａの軸心よりも第二貫通孔１５０ｃ側に偏った位置に配置される。
反射部材１７０は、前面（第一貫通孔１５０ｂ側の面）を凹状の曲面に形成され、当該前面が反射面１７０ｂとされる。また、反射部材１７０の上部は、第一貫通孔１５０ｂを上方から概ね覆うように、基部１７０ａから回転軸１５０ａの軸心方向に対して第一貫通孔１５０ｂ側へ傾斜した方向へ延出される。このようにして、反射部材１７０の反射面１７０ｂが第一貫通孔１５０ｂと対向するように形成される。
【００４１】
図３から図５に示すランプカバー１８０は、回転板１５０、透光板１６０、および反射部材１７０を上方から被覆する部材である。ランプカバー１８０は、有色透明なプラスチック等の材料により形成される。ランプカバー１８０は、下方が開口された略ドーム状に形成される。ランプカバー１８０は、下端部に設けられる係止部を台座１１０に係止させることにより、回転板１５０、透光板１６０、および反射部材１７０を上方から被覆した状態で台座１１０の上部に固定される。
【００４２】
次に、上述の如く構成された回転灯１００の動作態様について、図３を用いて説明する。
【００４３】
モータ１４２が駆動されると、当該モータ１４２の駆動力は、モータ１４２に固設される駆動ギアおよび伝達ギア１４３により減速されて従動ギア１４４に伝達される。モータ１４２からの駆動力により従動ギア１４４が回転すると、当該従動ギア１４４に固定された回転板１５０、ならびに当該回転板１５０に固定された透光板１６０および反射部材１７０が一体的に回転する。
【００４４】
また、ＬＥＤ１２１・１２１が点灯されると、当該ＬＥＤ１２１・１２１から発せられた光は上側（回転板１５０側）に放射され、台座１１０の導入孔１１０ｂ、および回転する回転板１５０の第一貫通孔１５０ｂまたは第二貫通孔１５０ｃを介して回転板１５０の上方へと照射される。
【００４５】
以下では、回転板１５０の回転過程において、（Ａ）第一貫通孔１５０ｂが台座１１０の導入孔１１０ｂと対向する位置にある場合、および（Ｂ）第二貫通孔１５０ｃが台座１１０の導入孔１１０ｂと対向する位置にある場合、に分けて、ＬＥＤ１２１・１２１からの光がランプカバー１８０に照射される様子について説明する。
【００４６】
まず、図１０（ａ）に示すように、（Ａ）第一貫通孔１５０ｂが台座１１０の導入孔１１０ｂと対向する位置にある場合、すなわち、第一貫通孔１５０ｂがＬＥＤ１２１・１２１と対向する位置にある場合について説明する。
【００４７】
この場合、ＬＥＤ１２１・１２１からの光は、台座１１０の導入孔１１０ｂ、および回転板１５０の第一貫通孔１５０ｂを介して透光板１６０の導光レンズ部１６０ａへと導入される。
【００４８】
導光レンズ部１６０ａを上方に向かって通過した光は、導光レンズ部１６０ａの斜面において反射部材１７０の反射面１７０ｂに向かって屈折する。すなわち、ＬＥＤ１２１・１２１からの光は、導光レンズ部１６０ａによって反射部材１７０の反射面１７０ｂへと導かれる（集光される）。
【００４９】
導光レンズ部１６０ａから反射部材１７０の反射面１７０ｂへと集められた光は、反射面１７０ｂによって前方に向かって反射され、ランプカバー１８０の前面の一部分に集中的に照射される。
【００５０】
このようにして、ＬＥＤ１２１・１２１からの光は集光された後にランプカバー１８０の前面に照射されるため、ランプカバー１８０の前面（特に光が照射された一部分）が明るく点灯することになる。
【００５１】
次に、図１０（ｂ）に示すように、（Ｂ）第二貫通孔１５０ｃが台座１１０の導入孔１１０ｂと対向する位置にある場合、すなわち、第二貫通孔１５０ｃがＬＥＤ１２１・１２１と対向する位置にある場合について説明する。
【００５２】
この場合、ＬＥＤ１２１・１２１からの光は、台座１１０の導入孔１１０ｂ、回転板１５０の第二貫通孔１５０ｃ、および透光板１６０を介してランプカバー１８０の内部空間へと照射される。
【００５３】
ランプカバー１８０の内部空間へと照射された光は、反射部材１７０の反射面１７０ｂによって反射されることなく、直接ランプカバー１８０の上面から前面に亘って広く照射される。
【００５４】
このようにして、ＬＥＤ１２１・１２１からの光は集光されることなくランプカバー１８０の上面から前面に亘って広範囲に照射されるため、ランプカバー１８０の上面から前面が広く点灯することになる。また、この場合、ＬＥＤ１２１・１２１からの光は集光されていないため、上記（Ａ）の場合と比較すると、ランプカバー１８０の上面から前面に亘る広い範囲が弱く点灯することになる。
【００５５】
回転板１５０が回転することによって、上記（Ａ）の場合と（Ｂ）の場合とが交互に切り替えられることになる。したがって、回転灯１００は、ランプカバー１８０の前面の一部分が明るく点灯する状態、およびランプカバー１８０の上面から前面が広く点灯する状態を順に切り替えることができ、光による演出効果を高めることができる。
【００５６】
以上の如く、本実施形態に係る回転灯１００は、回転軸１５０ａと、回転軸１５０ａから所定距離離れた位置に形成される第一貫通孔１５０ｂと、回転軸１５０ａを中心として第一貫通孔１５０ｂと略対称となる位置に形成される第二貫通孔１５０ｃと、を有して、回転軸１５０ａを中心として回転可能に構成される回転板１５０と、回転軸１５０ａに連結され、回転板１５０を回転させるモータ１４２（駆動源）と、回転板１５０の一方の板面側（下方）において、回転軸１５０ａから前記所定距離離れて配設され、回転板１５０側に光を放射するＬＥＤ１２１・１２１（光源）と、回転板１５０の他方の板面（上側の板面）における第一貫通孔１５０ｂと第二貫通孔１５０ｃとの間に配置される基部１７０ａを有し、基部１７０ａから回転軸１５０ａの軸心に対して第一貫通孔１５０ｂ側へ傾斜した方向へ延出し、第一貫通孔１５０ｂに対向する面が反射面１７０ｂとなる反射部材１７０と、第一貫通孔１５０ｂを通過するＬＥＤ１２１・１２１からの光を反射部材１７０の反射面１７０ｂへと導く透光板１６０（導光部材）と、透光性を有し、回転板１５０、反射部材１７０および透光板１６０を回転板１５０の前記他方の板面側（上方）から被覆するランプカバー１８０と、を具備し、モータ１４２により回転板１５０が回転されて、第一貫通孔１５０ｂがＬＥＤ１２１・１２１と対向する位置にあるときには、ＬＥＤ１２１・１２１からの光は透光板１６０により反射部材１７０の反射面１７０ｂへと導かれ、反射面１７０ｂにより反射された後にランプカバー１８０に照射され、第二貫通孔１５０ｃがＬＥＤ１２１・１２１と対向する位置にあるときには、ＬＥＤ１２１・１２１からの光は反射面１７０ｂへと導かれることなくランプカバー１８０に直接照射されるように構成されるものである。
このように、ＬＥＤ１２１・１２１を回転軸１５０ａの軸心上（回転板１５０の回転中心）に配置しないため、回転板１５０を回転させるための機構（回転軸１５０ａ、モータ１４２からの動力伝達機構等）のコンパクト化を図ることができる。すなわち、ＬＥＤ１２１を回転軸１５０ａの軸心上に配置するためには、回転軸１５０ａを円筒状に形成し、当該回転軸１５０ａ内にＬＥＤ１２１を配置する必要がある。このため、回転軸１５０ａの径が大きくなり、これに伴って当該回転軸１５０ａを回転させるための機構も回転軸１５０ａの径方向に広く配置することになる場合があり、回転灯１００のコンパクト化が困難である。しかし、本実施形態に係る回転灯１００においては、ＬＥＤ１２１・１２１を回転軸１５０ａの軸心上に配置しないため、回転軸１５０ａの径を大きくする必要がなく、ひいては回転灯１００のコンパクト化を図ることができる。
また、回転板１５０を回転させることで、ＬＥＤ１２１・１２１からの光を所定の方向へと反射してランプカバー１８０に照射する状態、およびＬＥＤ１２１・１２１からの光を反射せずランプカバー１８０に照射する状態を順に切り替えることができ、光による演出効果を高めることができる。
【００５７】
なお、光源としては、ＬＥＤ１２１以外に、白熱電球、蛍光灯等の光を放射する機器を用いることが可能である。
また、駆動源としては、モータ１４２以外にも回転板１５０を回転させるための駆動力を発生することができるものを用いることが可能である。
また、第一貫通孔１５０ｂおよび第二貫通孔１５０ｃの形状は、円弧状に限るものではない。すなわち、第一貫通孔１５０ｂおよび第二貫通孔１５０ｃは、それぞれ光源たるＬＥＤ１２１・１２１からの光を通過させることが可能な形状であれば良い。
また、導光部材としての透光板１６０は上記説明のものに限らず、第一貫通孔１５０ｂを通過する光源（ＬＥＤ１２１・１２１）からの光を反射部材１７０へと導くことが可能なものであれば、その形状および材質は問わない。
また、反射部材１７０は上記説明のものに限らず、光源（ＬＥＤ１２１・１２１）からの光を一定の方向に反射することが可能なものであれば良い。
また、ランプカバー１８０は上記説明のものに限らず、一定の透光性を有し、内部から照射される光によって、外部から点灯したように見える形状および材質であれば良い。
また、本発明に係る回転灯の設置方向は、本実施形態に係る回転灯１００の設置方向に限らず、上下逆向きに設置すること、横向きに設置すること、斜め方向に傾けて設置すること等が可能である。
【００５８】
また、本実施形態に係る回転灯１００においては、回転板１５０の第一貫通孔１５０ｂと第二貫通孔１５０ｃとが連通していないため、上記（Ａ）の場合（図１１（ａ）参照）と（Ｂ）の場合（図１１（ｃ）参照）とが交互に切り替えられる間に、（Ｃ）回転板１５０の下側の板面がＬＥＤ１２１・１２１と対向する位置にあって、台座１１０の導入孔１１０ｂが回転板１５０により閉塞されている場合（図１１（ｂ）および（ｄ）参照）が存在する。なお、説明の便宜上、図１１において反射部材１７０およびランプカバー１８０の図示は省略している。
【００５９】
上記（Ｃ）の場合、ＬＥＤ１２１・１２１からの光はランプカバー１８０内に導入され難いため、当該光がランプカバー１８０に照射され難く、当該ランプカバー１８０は点灯しない。したがって、詳細には、本実施形態に係る回転灯１００は、回転板１５０が回転することによって、上記（Ａ）の場合、（Ｃ）の場合、（Ｂ）の場合、（Ｃ）の場合の順に切り替えられることになる。したがって、回転灯１００は、ランプカバー１８０の前面の一部分が明るく点灯する状態、ランプカバー１８０が点灯しない状態、ランプカバー１８０の上面から前面が広く点灯する状態、およびランプカバー１８０が点灯しない状態を順に切り替えることができ、光による演出効果をより高めることができる。
【００６０】
次に、本発明の第二実施形態に係る回転灯２００について、図１２および図１３を用いて説明する。
【００６１】
第二実施形態に係る回転灯２００が第一実施形態に係る回転灯１００と異なる点は、透光板１６０に代えて透光板２６０を具備している点である。よって以下では、第一実施形態に係る回転灯１００と同一構成の部材には同一の符号を付し、説明を省略する。
【００６２】
図１２に示す拡散部材としての透光板２６０は、略円形板状の部材である。透光板２６０は、透明なガラスやプラスチック等の材料により形成される。透光板２６０の上側の板面には、拡散レンズ部２６０ｂが形成される。拡散レンズ部２６０ｂは、透光板２６０の中心から所定距離の位置にあり、透光板２６０の内側から外側に向けて高くなる斜辺を有する直角三角形を、透光板２６０の軸心を中心として所定角度だけ回転して得られる回転体形状に形成される。本実施形態においては、拡散レンズ部２６０ｂは回転板１５０の第二貫通孔１５０ｃと平面視において重複するように形成される。
【００６３】
以下では、回転板１５０の回転過程において、（Ａ）第一貫通孔１５０ｂが台座１１０の導入孔１１０ｂと対向する位置にある場合、および（Ｂ）第二貫通孔１５０ｃが台座１１０の導入孔１１０ｂと対向する位置にある場合、に分けて、ＬＥＤ１２１・１２１からの光がランプカバー１８０に照射される様子について説明する。
【００６４】
まず、図１３（ａ）に示すように、（Ａ）第一貫通孔１５０ｂが台座１１０の導入孔１１０ｂと対向する位置にある場合、すなわち、第一貫通孔１５０ｂがＬＥＤ１２１・１２１と対向する位置にある場合について説明する。
【００６５】
この場合、ＬＥＤ１２１・１２１からの光は、台座１１０の導入孔１１０ｂ、回転板１５０の第一貫通孔１５０ｂ、および透光板２６０を介してランプカバー１８０の内部空間へと照射される。
【００６６】
ランプカバー１８０の内部空間へと照射された光は、反射部材１７０の反射面１７０ｂによって前方に向かって反射され、ランプカバー１８０の前面の一部分に集中的に照射される。
【００６７】
このようにして、ＬＥＤ１２１・１２１からの光は集光された後にランプカバー１８０の前面に照射されるため、ランプカバー１８０の前面（特に光が照射された一部分）が明るく点灯することになる。
【００６８】
次に、図１３（ｂ）に示すように、（Ｂ）第二貫通孔１５０ｃが台座１１０の導入孔１１０ｂと対向する位置にある場合、すなわち、第二貫通孔１５０ｃがＬＥＤ１２１・１２１と対向する位置にある場合について説明する。
【００６９】
この場合、ＬＥＤ１２１・１２１からの光は、台座１１０の導入孔１１０ｂ、および回転板１５０の第二貫通孔１５０ｃを介して透光板２６０の拡散レンズ部２６０ｂへと導入される。
【００７０】
拡散レンズ部２６０ｂを上方に向かって通過した光は、拡散レンズ部２６０ｂの斜面においてランプカバー１８０の上面から前面に向かって屈折する。すなわち、ＬＥＤ１２１・１２１からの光は、拡散レンズ部２６０ｂによってランプカバー１８０の上面から前面に亘る広い範囲に拡散される。
【００７１】
ランプカバー１８０の上面から前面に亘る範囲に拡散された光は、反射部材１７０の反射面１７０ｂによって反射されることなく、直接ランプカバー１８０の上面から前面に亘って広く照射される。
【００７２】
このようにして、ＬＥＤ１２１・１２１からの光は集光されることなくランプカバー１８０の上面から前面に亘って照射されるため、ランプカバー１８０の上面から前面が広く点灯することになる。また、この場合、ＬＥＤ１２１・１２１からの光は集光されていないため、上記（Ａ）の場合と比較すると、ランプカバー１８０の上面から前面に亘る広い範囲が弱く点灯することになる。
【００７３】
回転板１５０が回転することによって、上記（Ａ）の場合と（Ｂ）の場合とが交互に切り替えられることになる。したがって、回転灯１００は、ランプカバー１８０の前面の一部分が明るく点灯する状態、およびランプカバー１８０の上面から前面が広く点灯する状態を順に切り替えることができ、光による演出効果を高めることができる。
【００７４】
以上の如く、本実施形態に係る回転灯２００は、回転軸１５０ａと、回転軸１５０ａから所定距離離れた位置に形成される第一貫通孔１５０ｂと、回転軸１５０ａを中心として第一貫通孔１５０ｂと略対称となる位置に形成される第二貫通孔１５０ｃと、を有して、回転軸１５０ａを中心として回転可能に構成される回転板１５０と、回転軸１５０ａに連結され、回転板１５０を回転させるモータ１４２（駆動源）と、回転板１５０の一方の板面側（下方）において、回転軸１５０ａから前記所定距離離れて配設され、回転板１５０側に光を放射するＬＥＤ１２１・１２１（光源）と、回転板１５０の他方の板面（上側の板面）における第一貫通孔１５０ｂと第二貫通孔１５０ｃとの間に配置される基部１７０ａを有し、基部１７０ａから回転軸１５０ａの軸心に対して第一貫通孔１５０ｂ側へ傾斜した方向へ延出し、第一貫通孔１５０ｂに対向する面が反射面１７０ｂとなる反射部材１７０と、第二貫通孔１５０ｃを通過するＬＥＤ１２１・１２１からの光を拡散させる透光板２６０（拡散部材）と、透光性を有し、回転板１５０、反射部材１７０および透光板２６０を回転板１５０の前記他方の板面側（上方）から被覆するランプカバー１８０と、を具備し、モータ１４２により回転板１５０が回転されて、第一貫通孔１５０ｂがＬＥＤ１２１・１２１と対向する位置にあるときには、ＬＥＤ１２１・１２１からの光は反射部材１７０の反射面１７０ｂにより反射された後にランプカバー１８０に照射され、第二貫通孔１５０ｃがＬＥＤ１２１・１２１と対向する位置にあるときには、ＬＥＤ１２１・１２１からの光は透光板２６０により拡散された後にランプカバー１８０に照射されるように構成されるものである。
このように、ＬＥＤ１２１・１２１を回転軸１５０ａの軸心上（回転板１５０の回転中心）に配置しないため、回転板１５０を回転させるための機構（回転軸１５０ａ、モータ１４２からの動力伝達機構等）のコンパクト化を図ることができる。また、回転板１５０を回転させることで、ＬＥＤ１２１・１２１からの光を所定の方向へと反射してランプカバー１８０に照射する状態、およびＬＥＤ１２１・１２１からの光を反射せずランプカバー１８０に照射する状態を順に切り替えることができ、光による演出効果を高めることができる。
【００７５】
なお、拡散部材としての透光板２６０は上記説明のものに限らず、第一貫通孔１５０ｂを通過する光源（ＬＥＤ１２１・１２１）からの光を拡散させてランプカバー１８０に照射することが可能なものであれば、その形状および材質は問わない。
【００７６】
次に、第三実施形態に係る回転灯３００について、図１４および図１５を用いて説明する。
【００７７】
第三実施形態に係る回転灯３００が第一実施形態に係る回転灯１００と異なる点は、透光板１６０に代えて透光板３６０を具備している点である。よって以下では、第一実施形態に係る回転灯１００と同一構成の部材には同一の符号を付し、説明を省略する。
【００７８】
図１４に示す透光板３６０は、略円形板状の部材である。透光板３６０は、透明なガラスやプラスチック等の材料により形成される。透光板３６０の上側の板面には、導光レンズ部３６０ａおよび拡散レンズ部３６０ｂが形成される。導光レンズ部３６０ａの形状は、第一実施形態に係る透光板１６０の導光レンズ部１６０ａと同一であり、拡散レンズ部３６０ｂの形状は、第二実施形態に係る透光板２６０の拡散レンズ部２６０ｂと同一である。本実施形態においては、導光レンズ部３６０ａは回転板１５０の第一貫通孔１５０ｂと、拡散レンズ部２６０ｂは回転板１５０の第二貫通孔１５０ｃと、それぞれ平面視において重複するように形成される。
【００７９】
したがって、図１５（ａ）に示すように、（Ａ）第一貫通孔１５０ｂが台座１１０の導入孔１１０ｂと対向する位置にある場合、すなわち、第一貫通孔１５０ｂがＬＥＤ１２１・１２１と対向する位置にある場合、第一実施形態に係る回転灯１００と同様、ＬＥＤ１２１・１２１からの光は集光された後にランプカバー１８０の前面に照射されるため、ランプカバー１８０の前面（特に光が照射された一部分）が明るく点灯することになる。
【００８０】
また、図１５（ｂ）に示すように、（Ｂ）第二貫通孔１５０ｃが台座１１０の導入孔１１０ｂと対向する位置にある場合、すなわち、第二貫通孔１５０ｃがＬＥＤ１２１・１２１と対向する位置にある場合、第二実施形態に係る回転灯２００と同様、ＬＥＤ１２１・１２１からの光は集光されることなくランプカバー１８０の上面から前面に亘って照射されるため、ランプカバー１８０の上面から前面が広く点灯することになる。また、この場合、ＬＥＤ１２１・１２１からの光は集光されていないため、上記（Ａ）の場合と比較すると、ランプカバー１８０の上面から前面に亘る広い範囲が弱く点灯することになる。
【００８１】
次に、第四実施形態に係る回転灯４００について、図１６を用いて説明する。
【００８２】
第四実施形態に係る回転灯４００が第一実施形態に係る回転灯１００と異なる点は、透光板１６０に代えて透光板４６０を具備している点である。よって以下では、第一実施形態に係る回転灯１００と同一構成の部材には同一の符号を付し、説明を省略する。
【００８３】
図１６に示す透光板４６０は、略円形板状の部材である。透光板４６０は、透明なガラスやプラスチック等の材料により形成される。透光板４６０の上側の板面には、第一実施形態に係る導光レンズ部１６０ａ等は形成されない。
【００８４】
したがって、図１６（ａ）に示すように、（Ａ）第一貫通孔１５０ｂが台座１１０の導入孔１１０ｂと対向する位置にある場合、すなわち、第一貫通孔１５０ｂがＬＥＤ１２１・１２１と対向する位置にある場合、第二実施形態に係る回転灯２００と同様、ＬＥＤ１２１・１２１からの光は集光された後にランプカバー１８０の前面に照射されるため、ランプカバー１８０の前面（特に光が照射された一部分）が明るく点灯することになる。
【００８５】
また、図１６（ｂ）に示すように、（Ｂ）第二貫通孔１５０ｃが台座１１０の導入孔１１０ｂと対向する位置にある場合、すなわち、第二貫通孔１５０ｃがＬＥＤ１２１・１２１と対向する位置にある場合、第一実施形態に係る回転灯１００と同様、ＬＥＤ１２１・１２１からの光は集光されることなくランプカバー１８０の上面から前面に亘って照射されるため、ランプカバー１８０の上面から前面が広く点灯することになる。また、この場合、ＬＥＤ１２１・１２１からの光は集光されていないため、上記（Ａ）の場合と比較すると、ランプカバー１８０の上面から前面に亘る広い範囲が弱く点灯することになる。
【符号の説明】
【００８６】
１：遊技機，１００：回転灯，１１０：台座，１２０：ＬＥＤ基板，１２１：発光ダイオード（ＬＥＤ）（光源），１３０：ＬＥＤ基板支持部材，１４０：駆動機構，１４２：モータ（駆動源），１５０：回転板，１５０ａ：回転軸，１５０ｂ：第一貫通孔，１５０ｃ：第二貫通孔，１６０：透光板（導光部材），１７０：反射部材，１７０ａ：基部，１７０ｂ：反射面，１８０：ランプカバー，２６０：透光板（拡散部材）
【図１】
0005418996.tif 000002
【図２】
0005418996.tif 000003
【図３】
0005418996.tif 000004
【図４】
0005418996.tif 000005
【図５】
0005418996.tif 000006
【図６】
0005418996.tif 000007
【図７】
0005418996.tif 000008
【図８】
0005418996.tif 000009
【図９】
0005418996.tif 000010
【図１０】
0005418996.tif 000011
【図１１】
0005418996.tif 000012
【図１２】
0005418996.tif 000013
【図１３】
0005418996.tif 000014
【図１４】
0005418996.tif 000015
【図１５】
0005418996.tif 000016
【図１６】
0005418996.tif 000017